Podtech/llm-jp-corpus-v4-ja_patent huggingface dataset:
(57)【要約】      （修正有）【課題】シャープペンシルに折れ芯や、短く使い切つた芯を入れるポケツトを設けて、芯のぽい捨てによる環境汚染を防止する。【解決手段】シャープペンシル本体１に廃芯入れポケツト２を設けて空間部には廃芯を入れられるような構造で、尚蓋をすることで芯の飛散防止が図られることにより環境汚染が防止できる。【選択図】図１
0003117631.tif 000002
【実用新案登録請求の範囲】
【請求項１】
シャープペンシルのクリツプ部に廃芯、及び折れ芯入れのポケツト状の空間を設けて、廃芯がこぼれないように蓋ができる事を特徴としたシャープペンシル。
【請求項２】
シャープペンシルのクリツプ部に、別に廃芯、及び折れ芯入れのポケツト状の空間を設け、廃芯がこぼれないように蓋ができる構造の部品を外付け出来る事を特徴としたシャープペンシル。
【請求項３】
シャープペンシルのキャツプ部に廃芯、及び折れ芯入れのポケツト状の空間を設けて、廃芯がこぼれないように蓋ができる事を特徴としたシャープペンシル。
【考案の詳細な説明】
【技術分野】
【０００１】  本考案は、クリツプ部又はキャツプ部に折れた芯及び短く使い古した芯を入れるポケツトを設けた、シャープペンシルに関するものである。
【背景技術】
【０００２】  事務所，及び家庭内の机上においても折れ芯や、短く使いきつた芯は床面等にポイ捨てられる事が多つた、又従来の関連技術等を調査してもこれらを改善する為の文献は見当らなかつた。
【考案の開示】
【考案が解決しようとする課題】
【０００３】  折れ芯や、短く使いきつた芯を床面等にポイ捨てすることにより、床面の汚れ、及び衛生面（鉛害）の心配等で清掃面でも大変労力を要していたがこれらの問題を解決しようとするものである。
【課題を解決する手段】
【０００４】  本考案は、シャープペンシルのクリツプ部又は、キャツプ部にポケツト状の空間部を設け、短い廃芯を入れた後には容易には外部にこぼれないように強制的に蓋をする構造にして問題を解決している。
【考案の効果】
【０００５】  上述の様に、本考案のポケツト付きペンシルは通常の筆記ができることは当然ですが、シャープペンシルに廃芯入れのポケツトがあるために折れた芯は即ポケツト内に収納できるので環境汚染防止に役立つ。
【考案を実施するための最良の形態】
【０００６】  本考案は、シャープペンシルのクリツプ部又はキャツプ部へ廃芯入れ部を設けるものでペンシル本体は現市販品をそのまま流用し、廃芯入れ部（ポケツト）のみを新規に取り付けるためにユーザーの要望でどちらにでも安価に、迅速に採用することができる。
【実施例】
【０００７】  以下、添付図面に従い実施例を説明する。［図１］はシャープペンシルのクリツプ部に廃芯入れポケツトを設けた例で、１はシャープペンシル本体を示す、２は廃芯入れポケツト部で内部４は空間で出来るだけ多くの廃芯を入れられるように広く設ける、また２は１のシャープペンシル本体と１体形で成形されたものである、３は廃芯の流出飛散を防止する蓋である。【０００８】  同様に［図４］は既存のシャープペンシルのクリツプ部へ外付けタイプとして廃芯入れポケツトを取り付けた例を示す。５はポケツト本体、６は廃芯入れのポケツト部で空間である、シャープペンシル本体のクルツプ部へは自由に着脱出来るように、８のツメがクリツプの内側に入りこむ為に一定の力で簡単に着脱可能である、１１は３同様蓋である。【０００９】  同様に［図７］は既存のシャープペンシルのキャツプ部へ廃芯、及び折れ芯入れポケツトを設けた例を示す、
１はシャープペンシル本体で、９は廃芯入れキャツプ、１０は廃芯を入れる空間を示す、すなわち従来のキャツプに廃芯入れの空間を設けたような部品形状であり、１１は廃芯の流失飛散を防止する蓋である。
【図面の簡単な説明】
【００１０】
【図１】本考案をクリツプ部への実施例を示す側面図。
【図２】本考案をクリップ部への実施例を示す正面図。
【図３】Ａ−Ａ断面図。
【図４】本考案をクリツプ部に外付けした実施例を示す側面図。
【図５】本考案をクリップ部に外付けした実施例を示す正面図。
【図６】Ｂ−Ｂ断面図。
【図７】本考案をキャツプ部への実施例を示す側面図。
【図８】本考案をキャップ部への実施例を示す示す正面図。
【符号の説明】
【００１１】  １シャープペンシル本体
２ポケツト本体
３蓋
４廃芯入れ部
５ポケツト本体
６廃芯入れ部
７蓋
８着脱ツメ
９廃芯入れキャツプ
１０廃芯入れ部
１１蓋
【図１】
0003117631.tif 000003
【図２】
0003117631.tif 000004
【図３】
0003117631.tif 000005
【図４】
0003117631.tif 000006
【図５】
0003117631.tif 000007
【図６】
0003117631.tif 000008
【図７】
0003117631.tif 000009
【図８】
0003117631.tif 000010
(57)【要約】【課題】  楽な姿勢で、また少しの腕力で背骨と背筋を伸ばしながら指圧が出来るマッサージ器具。【解決手段】  仰向けになった状態で、プレート２の部分を背中の下に敷き込み、取っ手１を手で握り、矢印５の方向に前後に動かす。そうすれば、せり上がった６の部分で背骨と背筋を伸ばし、同時に指圧が出来る。【選択図】  図３
0003117636.tif 000002
【実用新案登録請求の範囲】
【請求項１】
背骨を保護するために一部を流線的にくぼませたプレートに、取っ手を付けた腰と背中の健康器具。
【考案の詳細な説明】
【技術分野】
【０００１】  本考案は、手動による腰や背中のマッサ−ジ器具である。
【背景技術】
【０００２】  従来、簡易形式で背骨や背筋を同時にマッサ−ジ出来る器具は無さそうである。
【考案の開示】
【考案が解決しようとする課題】
【０００３】  腰や背中は、自身の手ではマッサ−ジしにくい部分である。
【課題を解決するための手段】
【０００４】  本考案は、上向きに寝た状態で（図１）（図２）（図３）２のプレート部分を腰や背中の部分に敷込み、（図１）（図２）（図３）１の取っ手部分を（図３）５の矢印の方向に動かす事で（図３）６の部分が腰や背中を刺激してマッサージ出来る様にしたものである。また、動作についてもテコの原理で軽い力で行える。
【考案の効果】
【０００５】（図１）（図２）（図３）２のプレート部分のはね上がりによって、背骨や背筋の伸ばし効果と指圧効果が生まれる。
【考案を実施するための最良の形態】
【０００６】（イ）（図１）２のプレート部分の大きさは、縦６０ｍｍ、横４５０ｍｍ、厚み２０ｍｍ程度である。
（ロ）（図１）（図２）（図３）１の取っ手の大きさは、長さが３００ｍｍ直径２０ｍｍ程度で、プレート部分に差し込む形式である。
（ハ）（図１）３と（図２）４のくぼみは、背骨を保護するためのものである。
（ニ）素材は、木かプラスチックが望ましい。
【図面の簡単な説明】
【０００７】
【図１】本考案の平面図である。
【図２】（図１）ＡＡ′の断面図である。
【図３】（図１）の側面図である。
【符号の説明】
【０００８】１    取っ手
２    プレート
３    くぼみの部分
４    くぼみの部分
５    進行方向を現した矢印
６    背中を刺激する部分
【図１】
0003117636.tif 000003
【図２】
0003117636.tif 000004
【図３】
0003117636.tif 000005
(57)【要約】      （修正有）【課題】加工やネジ締め及び緩めを行うことができる回転工具付属品の提供。【解決手段】回転工具の寸法より、回転工具付属品の動力伝達部分及び出力軸に取り付けられた工具装着部の方がはるかに小さいため、先端の工具装着部に取り付けした工具を挿入する。【選択図】図１
0003117638.tif 000002
【実用新案登録請求の範囲】
【請求項１】
回転工具のチャックに着脱する入力軸と動力を伝達する動力伝達部分及び出力軸に取り付けられた工具装着部より構成された回転工具付属品。
【考案の詳細な説明】
【技術分野】
【０００１】  本考案は、回転工具に使用する回転工具付属品に関する。
【背景技術】
【０００２】  従来の回転工具では狭い箇所の加工やネジ締め及び緩めができないことがあった。
【考案の開示】
【考案が解決しようとする課題】
【０００３】  回転工具の寸法より小さく回転工具の入らない部分は、加工やネジ締め及び緩めを行うことができず不便である。
【課題を解決するための手段】
【０００４】  回転工具の寸法より、回転工具付属品の動力伝達部分及び出力軸に取り付けられた工具装着部の方がはるかに小さいため、先端の工具装着部に取り付けした工具を挿入することにより加工やネジ締め及び緩めを行うことができる。
【考案の効果】
【０００５】  よって、本考案の回転工具付属品により、回転工具の寸法より小さく回転工具の入らない部分でも回転工具付属品により、加工やネジ締め及び緩めを行うことができる。また、回転工具付属品の入力軸は回転工具のチャックに取り付け可能のため、着脱可能である。そして、出力軸の工具装着部もチャックとなっており工具が着脱可能である。
【考案を実施するための最良の形態】
【０００６】  本考案に係る回転工具付属品は、図１に示すように、動力伝達部を備えている。そして動力伝達部はチェーン駆動によることが望ましい。この動力伝達部の格納ケースを手で保持することにより、不要な回転を防ぎ作業することができる。
【図面の簡単な説明】
【０００７】
【図１】  本考案に係る回転工具付属品の詳細図である。
【図２】  回転工具付属品を回転工具に使用した状態である。
【符号の説明】
【０００８】  １  入力軸
２  動力伝達部分
３  格納ケース
４  出力軸
５  工具装着部
６  回転工具
７  工具
８  回転工具付属品
【図１】
0003117638.tif 000003
【図２】
0003117638.tif 000004
(57)【要約】【課題】道糸とハリスを結ぶ接続具に釣り糸を強固に掛ける箇所を設けて釣り糸に負荷がかかったときに結び目が切れるということがなく、また結び目自体も衝撃緩和するように引っ張り強度を高め、細い釣り糸でも大きな魚に対応できるようにすることを目的とする。【解決手段】ハリス側のリング３から僅かに間隔を開けてハリス７の輪８の基部を結んだ結び目８ａを移動不可に保持する突起５を設け、この突起５から更に間隔を開けて撚り６を入れたハリス７の輪８の先を掛ける突起９を設けたものである。そして前記撚り６の長さを突起５と突起９の間隔長さに合致させるようにした。【選択図】  図１
0003117660.tif 000002
【実用新案登録請求の範囲】
【請求項１】
止め玉（１）の両端から道糸とハリスをそれぞれ結ぶ回転自在なリング（２、３）を設けた釣糸の接続具において、ハリス側のリング（３）から僅かに間隔を開けてハリス（７）の輪（８）の基部を結んだ結び目（８ａ）を移動不可に保持する突起（５）を設け、この突起（５）から更に間隔を開けて撚り（６）を入れたハリス（７）の輪（８）の先を掛ける突起（９）を設けた釣糸の接続具。
【請求項２】
前記撚り（６）の長さを突起（５）と突起（９）の間隔長さに合致するようにした請求項１記載の釣糸の接続具。
【考案の詳細な説明】
【技術分野】
【０００１】
本考案は、釣り糸の道糸とハリスを結ぶ接続具に関する。
【背景技術】
【０００２】
従来のサルカンは、図５及び図６に示すように金属製または樹脂製の止め玉１０の両端からリング１１、１２を回転自在に突出させ、このリング１１、１２に道糸とハリスをそれぞれ結び釣糸の捩れを防ぐようにしている。このリング１１、１２に釣糸を結ぶ場合、釣糸がナイロンなどの化学繊維を用いているため腰があり滑り易く、結び目部分をしっかり結ぶ必要があった。
【０００３】
また魚を釣った際のハリスの切れ、外れを無くすために衝撃緩和を意図した道糸とハリスを結ぶ接続具が下記の特許文献に開示されている。
【特許文献１】特開２００４−２３６５１９号
【特許文献２】特開２００５―５８００１号
【考案の開示】
【考案が解決しようとする課題】
【０００４】
本考案は、道糸とハリスを結ぶ接続具に釣り糸を強固に掛ける箇所を設けて釣り糸に負荷がかかったときに結び目が切れるということがなく、また結び目自体も衝撃緩和するように引っ張り強度を高め、細い釣り糸でも大きな魚に対応できるようにすることを目的とする。
【課題を解決するための手段】
【０００５】
上記目的を達成するために、本考案の釣り糸の接続具は請求項1記載のように、
止め玉１の両端から道糸とハリスをそれぞれ結ぶ回転自在なリング２、３を設けた釣糸の接続具において、ハリス側のリング３から僅かに間隔を開けてハリス７の輪８の基部を結んだ結び目８ａを移動不可に保持する突起５を設け、この突起５から更に間隔を開けて撚り６を入れたハリス７の輪８の先を掛ける突起９を設けたものである。そして請求項２記載のように、前記撚り６の長さを突起５と突起９の間隔長さに合致させるようにしたこと等を特徴としている。
【考案の効果】
【０００６】
本考案は以上説明したように構成されているので、釣糸接続具に結び目を強固に掛け結びするので抜けて脱落することがない。また輪８の撚り部分６は強い引きがあったときに、衝撃を緩和するように作用し、釣り糸が容易に切れない。従って細いハリスを使用できるので今まで以上の釣果が期待できる等の効果がある。
【考案を実施するための最良の形態】
【０００７】
本考案、釣り糸接続具の最良の実施形態は、ハリスを結ぶリング３を止め玉1から長く伸びたロッド４の先端に設け、このリング３から僅かに間隔を開けてハリス７の輪８の基部を結んだ結び目８ａを移動不可に保持する突起５を設け、この突起５から更に間隔をあけて撚り６を入れたハリス７の輪８を掛ける突起９を止め玉１側に設けたものである。
【実施例】
【０００８】
以下本考案の好適な実施例を図面に基づき説明する。図１は本考案の釣り糸の接続具であって、基本的には従来のサルカンと同様に止め玉１の両端から道糸とハリスをそれぞれ結ぶ回転自在なリング２、３を備えており、一方のハリスを結ぶリング３は止め玉1から長く伸びたロッド４の先端に設けてある。このリング３から僅かに間隔を開けてハリス７の輪８の基部を結んだ結び目８ａを移動不可に保持する突起５を設け、この突起５から更に間隔をあけて撚り６を入れたハリス７の輪８を掛ける突起９を止め玉１側に設けたものである。
【０００９】
そしてこの釣り糸の接続具に道糸とハリス７をそれぞれ結ぶ場合は、一方のリング２に釣り糸の図示しない道糸を結び、他方のハリス側は、図２のようにハリス７で先ず輪８を作り、輪８の基部８ａを押さえながらリング３と突起５間に嵌まり込むようにし、ハリスの先を２〜３回巻き付けて結ぶ。次いで図３のように輪８に突起５と突起９との間隔ほどの撚り６をいれ、その輪８の先を突起９に掛ける。そして図４のようにハリス７を引き込んで輪８を絞り込み、締め付けて固定する。かくしてハリス側は撚り６を入れた状態で突起９に掛け止めされるので容易に外れることが無く、また魚の当たりがあったときに撚り６部分が衝撃を緩和するように作用する。
【００１０】
この際、最も重要なのは突起５と突起９間の長さに合致させて撚り６の巻数を設定することである。撚りを入れすぎて撚り６の長さが突起５と突起９間の長さより長くなると、撚り６の部分が膨らんで突起５、９間に密着せずに負荷が掛かった時に簡単に切れてしまう。また撚りの部分が密着していても撚りの入れ方が足りないと負荷が掛かったときに簡単に切れてしまう。
【図面の簡単な説明】
【００１１】
【図１】本考案、釣り糸の接続具の正面図である。
【図２】釣り糸の輪の基部を結ぶ状態説明図である。
【図３】釣り糸の輪に撚りを入れる状態説明図である。
【図４】撚りを入れた輪を絞り込み固定した状態説明図である。
【図５】従来のサルカンの正面図である。
【図６】図５の断面図である。
【符号の説明】
【００１２】
１  止め玉
２  道糸用リング
３  ハリス用リング
４  ロッド
５  突起
６  撚り
７  ハリス
８  ハリスの輪
９  突起
【図１】
0003117660.tif 000003
【図２】
0003117660.tif 000004
【図３】
0003117660.tif 000005
【図４】
0003117660.tif 000006
【図５】
0003117660.tif 000007
【図６】
0003117660.tif 000008
(57)【要約】      （修正有）【課題】外付けストロボがカラー液晶デイスプレー等で多く情報をカメラなどで信号を授受する際、スピードが速く多量の情報を外付けストロボとカメラと間でやり取りできるUSBポートを外付けストロボの筐体に設けたシャッター付ストロボを提供する。【解決手段】カメラの周囲に配置され発光部の前面に透過型液晶ディスプレーを備えたシャター付きストロボ１３において前記カメラと信号の授受を行うUSBポート１４を備えてなるシャッター付ストロボ。【選択図】図３
0003117657.tif 000002
【実用新案登録請求の範囲】
【請求項１】
カメラの周囲に配置され発光部の前面に透過型液晶ディスプレーを備えたシャター付きストロボにおいて前記カメラと信号の授受を行うＵＳＢポートを備えてなるシャッター付ストロボ。
【請求項２】
前記ＵＳＢポートをストロボの好ましくは右側の側部に形成してなる請求項１記載のシャッター付ストロボ。
【請求項３】
カメラの周囲に配置され発光部の前面に透過型液晶ディスプレーを備えたシャター付きストロボにおいて前記カメラと信号の授受を行うミニサイズのUSBポートを備えてなるシャッター付ストロボ。
【請求項４】
前記ＵＳＢポートはストロボの筐体の周辺の適宜な箇所に形成してなる請求項１，３記載のシャッター付ストロボ。
【考案の詳細な説明】
【技術分野】
【０００１】
この考案はカメラに対して外付け、外置きタイプの発光部の前面にシャッターを配置したシャッター付ストロボに係りストロボの筐体にＵＳＢポートを形成したシャッター付ストロボに関する。
【背景技術】
【０００２】
従来、所謂外付け型、外置き型のストロボにはストロボの発光部に前面にカラーフイルター等を取り付けることはあるがストロボの発光部からの光を通断或いは発光面積の広狭を行うようなシャッターはなかった。機械式のシャッターであると構造的に難しくまた高価になるものであるからなかなか実用に供されていないものである。しかし、これを電子的なシャッターにすれば価格も安く信頼性も向上し、さらにストロボの発光部からの光をいろいろな模様に変化させショー会場等で利用したいとする要望も多くあり、従ってストロボの電子的シャッターの開発が望まれていた。これを実現したのが発光部の前に液晶デイスプレーを配置しこれをシャッターにしていろいろな模様を発光する提案がされている。
【特許文献１】特開平２−５３０３８号公報
【特許文献２】特願２００５−００５９５２号
【考案の開示】
【考案が解決しようとする課題】
【０００３】
従って、この考案の課題は、外付けストロボがカラー液晶デイスプレー等で多くの情報をカメラなどの信号を授受する際、スピードが速く多量の情報を外付けストロボとカメラと間でやり取りできるＵＳＢポートを外付けストロボの筐体に設けたシャッター付ストロボを提供するものである。
【課題を解決するための手段】
【０００４】
上記の課題を解決するために、カメラの周囲に配置され発光部の前面に透過型液晶ディスプレーを備えたシャター付きストロボにおいて前記カメラと信号の授受を行うUSBポートを備えることによって液晶ディスプレーをシャターとするような外付けストロボとカメラと間で多量でスピードの速い情報の授受ができるシャッター付ストロボの提供である。
【考案の効果】
【０００５】
この考案によれば多量の情報をカメラと授受する場合、スピードが速く情報の授受ができる効果の他にパソコンとの間での情報の授受もできる効果がある。
【考案を実施する為の最良の形態】
【０００６】
（実施形態１）
以下、この考案の実施例を添付図面、図１、図２、図３に基づいて説明する。
図１はカメラに対して外付け又は外置き型のストロボの回路で、１は電源、２はＤＣ−ＤＣコンバータ、３は充電するコンデンサーでこのコンデンサー３は常に電圧測定回路４によって測定されている。５はダイオードで逆流を防止している。
【０００７】
６は発光部７を発光するか否かを指示する発光部指示回路である。８はスレーブでカメラのフラッシュ光を受光するものであり、スレーブ８の感応で発光部７は発光する。９はスイッチで発光部指示回路６に指示でスイッチ９がオンし発光部７が発光する。図２は発光部７及び該発光部７の前面に配置した透過型液晶ディスプレとの構造を概略的に示した概略図で、発光部７は図１の発光指示回路６の信号で発光する。
【０００８】
この発光部７の全面には透過型液晶ディスプレー１０が配置されていて、この透過型液晶ディスプレー１０のセグメントにはディスプレー信号作成部１１から表示すべき模様の信号が作成されてセグメント選択１２に供給され、このセグメント選択部１２で透過型液晶ディスプレー１０のセグメント選択をする。
【０００９】
これによって選択されたセグメントの箇所の液晶が発光部７の光を通過させることができ、従って透過型液晶ディスプレー１０の表面には例えば「凸」模様が表示できる。透過型液晶ディスプレー１０のセグメントを選択しない場合は発光部７の光を通過させないから透過型液晶ディスプレー１０の表面には何にも模様が現われないものである。従ってストロボのシャッター機能が実現されている。
【００１０】
次にカメラと連動してシャッター機能を実現する場合は図１のスレーブ８がカメラのフラッシュ光を受光するとこの信号を発光部指示回路６に供給し発光部７は発光する。図２の透過型液晶ディスプレー１０は予めセグメント選択部１２からセグメント選択がされる信号でセグメント選択されているからこの選択されてセグメントを発光部７の光が通過して透過型液晶ディスプレー１０に表面に所望の模様が表示できる。
【００１１】
また、表示部７と透過型液晶ディスプレー１０の両者は矢印Aのように相互に接近離反できるので透過型液晶ディスプレー１０を通過した光の拡散を選択できる。つまり両者が近ければ拡散は広く、離れれば拡散は狭まるものである。
【００１２】
このようにストロボに各種の情報を授受する場合に図３のようにストロボ１３の側部にＵＳＢポート１４を形成しておく。このＵＳＢポート１４はＵＳＢ端子１５を挿入できるから、これによってカメラ等からの多量の情報を早く授受できるようになる。すなわち、液晶ディスプレー１０にカメラ等からのディスプレー信号作成部１１からの信号をＵＳＢ端子１５、ＵＳＢポート１４を介して授受されるのでパソコン等からの情報も授受できるものである。これによって図１が内蔵されたストロボ１３は液晶ディスプレー１０から多色の発光が実現できる。
【図面の簡単な説明】
【００１３】
【図１】この考案に係わるストロボ回路図。
【図２】図１の回路に接続されるシャッター機構図。
【図３】ストロボの斜視図。（実施形態１）
【符号の説明】
【００１４】
１  電源
２  ＤＣ−ＤＣコンバータ
３  コンデンサー
４  電圧測定回路
５  ダイオード
６  発光部指示回路
７  発光部
８  スレーブ
９  スイッチ
１０  透過型液晶テ゛ィスフ゜レー
１１  ディスプレー信号作成部
１２  セグメント選択部
１３  ストロボ
１４  ＵＳＢポート
１５  ＵＳＢ端子
【図１】
0003117657.tif 000003
【図２】
0003117657.tif 000004
【図３】
0003117657.tif 000005
(57)【要約】      （修正有）【課題】外出した時に自分の座席スペースを快適な状態に保つために使用する座席の上の座布団の提供。【解決手段】複数枚の布を重ねて座布団状に縫製し座面１，２，３、と繋ぎ輪４、を作成する、紐状の係留部５、の一端を繋ぎ輪に通してホック６、等で取り付ける、紐の片方を手首が楽に通る輪状の取手を作り置き忘れ予防の係留部５、とする、座面を折りたたんで収納する小型の布袋７，８、を作成し携帯用に供する。【選択図】図１
0003117621.tif 000002
【実用新案登録請求の範囲】
【請求項１】
布製で折りたたみ巻き込みが簡単であり容易に小さくたためる座布団部、と手元から離脱することを防止する係留部を有し、持ち運びに便利な座布団になり座席の座面をカバーして、温熱、冷熱、及び湿気、汚れ等を隔離して人体に伝わることを防ぐことのできる、座布団部と係留部を備えた携帯用の座席用具の携帯座布団。
【考案の詳細な説明】
【技術分野】
【０００１】  本考案は、自分の座席スペースを快適な状態に保つために欠かせない条件をそろえ持った簡単な携帯用の座布団となる簡便用具を提供するものである。
【背景技術】
【０００２】  従来はビニール製、等の空気を吹き込んで形状を保つもの、又は綿やスポンジ等の弾性材を布で被服し、クッション性を得るものであった。
【考案の開示】
【考案が解決しようとする課題】
【０００３】  本考案は簡便性と快適性を得るものである、従来のビニール製のものは座席の前で空気を吹き込むための時間がかかり即座に座ることが出来ない、綿やスポンジ等のものはコンパクトに折りたたむことができないため不便な大きさの物を持ち歩かなければならない、又急な乗り降りのときには置き忘れてしまう心配のある大変不便なもので携帯には不向きである、本考案はこのような欠点を除き快適で利便性を計る考案である。
【課題を解決するための手段】
【０００４】  麻、絹、木綿、化繊、フリース等の布、及びネット又はシートを適宜に複数枚を選び重ね合わせて、夏季用又は冬季用の座布団部を縫製し座面を作る、座面の端部に紐状の部品の一端を繋ぎ輪を介して取り付けて、置き忘れ防止の係留部とする、紐状の部品のもう片方は手首等が楽に通る大きさの輪状の取手を設ける、又座面と係留部は汚れた時の洗濯のし易いように着脱が出来るホック等で取り付けると良い、又小さく折りたたんで小型の布袋に入れ携帯の便を計る、携帯用の布袋の開口部に輪状の繋ぎ輪を設け紐状の係留部を通すことにより使用中に一体化され煩雑さを解消する。
【考案の効果】
【０００５】  夏季、極暑の中で電車を待つのは耐え難いものである、来た電車に乗り、やっと空いた座席に座ったが、今座席から立って行った人の体温が座席に残っていて、座った瞬間じわっと不快感がわいてくる。束の間であるが汗や体臭を想像してしまい再び耐えがたく座ることを止めてしまうこともある，この様なときに自分専用の本考案の携帯座布団を広げて座れば不快感を感じることはない，一方冬季の寒い駅でプラスチック製のベンチや木製の椅子の冷たさや公園のベンチや芝生の上、等では冷たさに加え汚れも心配になる、冷たさも和らげ衣服の汚れも防げる、座面は布製であり容易に洗濯ができ清潔を保てる、以上のような外出のとき座ろうとする所の意に添わない不具合を快適な特等席に変える考案である。
【考案を実施するための最良の形態】
【０００６】  外出のとき電車又はバス等に乗って、夏の特に極暑の折には他人の座っていた直後の座席はその人の体温が残り大変不快な思いをして座ることになる、又冬季には駅のプラスチック製のベンチや木製の椅子は大変冷たい思いをする、戸外の公園等でのベンチや芝生の上では汚れ等を心配してハンカチや新聞紙を代用していることが現況である、車内や戸外等いずれの場合も座席から立って移動するときは係留紐を手繰り寄せれば置き忘れる心配もない、かような不具合を解消出来る本考案は何処でも有効に機能を発揮し快適な自分の特等席を確保することが出来る。
【実施例】
【０００７】  以下、本考案の電車の中での実施例を添付図面に従って説明する、乗車して座席の前で携帯用の収納布袋７，８、より座面１，２，３、を取り出し座席に敷いて上に座る、紐状の係留部５、の輪状の取手に手首を通して持っている、または手提げのバック等の吊り手に通して保持している，収納する布袋７、８、の繋ぎ輪８、に係留紐５、を通しておけば使用中一体化される。【０００８】  電車を降りるための移動の時はそのまま係留部５、の取手を持ち，又はバックを持って立ち上がり紐を手繰り寄せ座面１、２、３、を小さく丸めれば移動を始めることができる、手首又はバックに係留しているので置き忘れることがない、小さく折りたたんで布袋７，８、に収納する携帯用である、電車、等乗り物以外の所でも有効な機能を発揮する。
【産業上の利用可能性】
【０００９】  座布団部は複数枚の布を重ねて小型の座布団状に縫製する、これは完成寸法より多様なハギレ布を利用することが出来る和装布地や洋装布地はもとより、ゆかた、アロハ、豪華な和服布地等はリサイクルに適している、季節に合わせて夏季は麻、絹、化繊、等の涼感のある布で温熱を和らげ、冬季は木綿、フリース等の保温感のある布とネット又はシートを挟み重ねて構成し冷熱の軽減を計る、椅子の座面を好みの模様の布がカバーするので快適であり又衣服の汚れを防止する、使用中は手元にある係留部の紐で収納布袋も一体化されていることで置き忘れを防ぎ安心感と快適性を得ることができる。
【図面の簡単な説明】
【００１０】
【図１】  本考案の携帯座布団の座面と係留紐の斜視図である。
【図２】  座面を手繰り寄せたり、置き忘れを防止する係留紐の側面図である。
【図３】  携帯用に収納する布袋の斜視図である。
【図４】  座布団部、座面の構成を示す一部断面の斜視図である。
【符号の説明】
【００１１】  １  座面を構成する布１を示す。
２  座面を構成する布２を示す。
３  座面を構成する布３を示す。
４  座面の繋ぎ輪。
５  係留紐。
６  ホック。
７  携帯用の布袋。
８  布袋の繋ぎ輪。
【図１】
0003117621.tif 000003
【図２】
0003117621.tif 000004
【図３】
0003117621.tif 000005
【図４】
0003117621.tif 000006
(57)【要約】      （修正有）【課題】服用の記憶を助けるためにブリスターパックに曜日等の文字をあらかじめ印刷する場合に、服用を開始する曜日等がブリスターパックのどこに位置しようとも違和感なく使い始めることができるようにする。【解決手段】服用すべきタイミングが、「朝・昼・晩」や「月曜日・火曜日・水曜日・木曜日・金曜日・土曜日・日曜日」のような反復性のあるものは周回連続することから、ブリスターの配置を環状とし、表示文字等もそれに伴って環状に配置する。【選択図】図１
0003117622.tif 000002
【実用新案登録請求の範囲】
【請求項１】
服用、飲用、摂取等のタイミングを示す曜日、または、「朝・昼・晩」のように周期性のある用語、これらの略称、記号、絵文字などをあらかじめ表示したブリスターパックにあって、ブリスターの配置、および、各表示を円周状またはその他の環状につなげて配置することを特徴としたブリスターパック。
【考案の詳細な説明】
【技術分野】
【０００１】  本考案は、内容物の服用の記憶を助けるブリスターパックの形状および表示方法に関するものである。
【背景技術】
【０００２】  医薬品等を継続して毎日１回、あるいは朝昼夕各１回などのように定期的に服用、飲用、摂取などをする場合、症状に応じて服用する薬の場合と異なり、その服用等が慢性化しているため服用の印象が薄く、事後にその服用の事実を忘却することがよくある。服用すべきタイミング経過直後に先の服用の記憶がはっきりしない場合、その時点で服用するべきかどうか判断に迷うこととなり大変不便である。これを未然に防ぐには、ピルケースなどを用いてあらかじめ服用回ごとに分割し収納する方法があるが、この方法でも事前の準備が完全でなければ同様の混乱が生じるという欠点を有している。また、ブリスターパックに曜日を印字する方法も提案されており（特許文献１）、使用済の記録を残ることから簡易に服用の記憶を助けることが可能であるが、表示に始めと終わりがあるため、使い始めの曜日がブリスターパックに表示された端部の曜日等に一致しない場合は中間位置からの使い始めとなってしまい、端から遣い始めようとする一般的な感覚とは一致しないため効果が半減している。
【特許文献１】  特開平１１−１３９４５４
【考案の開示】
【考案が解決しようとする課題】
【０００３】  本考案は、使用済の記録を残し簡易に服用の記憶を助けるために、ブリスターパックに曜日等の文字をあらかじめ印刷する場合に、服用を開始する曜日等がブリスターパックのどこに位置しようとも違和感なく使い始めることができるようにしようとするものである。
【課題を解決するための手段】
【０００４】  服用すべきタイミングが、「朝・昼・晩」や、「月曜日・火曜日・水曜日・木曜日・金曜日・土曜日・日曜日」のような反復性のあるものであり、これらは周回連続することから、ブリスターの配置を環状とし、表示文字等もそれに伴って環状に配置することによって、使い始めを連想させる端部のイメージを薄くし、使い始めが端部に一致しない違和感をなくすものである。
【考案の効果】
【０００５】  本考案により、服用タイミングを示す位置からの使い始めが違和感無くできるようになるので、ブリスターパックに曜日等の文字をあらかじめ印刷するという簡易な方法で服用の記憶を助けることができる。
【考案を実施するための最良の形態】
【０００６】  まずは、（特許文献１）にあるように、内容物を服用するタイミングを代表する周期、たとえば、曜日、「朝・昼・晩」などの１周期に消費する内容物の整倍数を持ってブリスターパック１シートを構成し、各ブリスター付近に、曜日、「朝・昼・晩」などの用語、これらの略称、記号、絵文字などを表示する。ここまでは参考文献１と同じである。次に、ブリスターパックの形状およびブリスター配置については、端部をなくすため環状にする。これの典型的な形態は、ブリスターパックを円盤状に形成し、ブリスターおよび表示を円状に配置するものである。なお、表示文字等は、方向性を持たせないよう、外周面を上方向あるいは左方向など点対称に配置する。【０００７】  環状を完璧に実現するには、上述の円形や着目する周期を構成する要素の数の多角形となり、たとえば一週間の周期に着目する場合であれば７角形となるように、製造、保管等に便利な形とはいえない。しかし、実用上はこれらの正確な形態にこだわる必要はなく、方向性を失わせる程度の環状であればよい。たとえば、一週間に着目する場合であれば、ブリスターパックを正四角形に形成し、擬似の８角形として見立てて、各放射状に８等分した三角形のマスのうち、７マスを使用するといった簡略化でよい。【０００８】  また、１周期分は上下方向あるいは左右方向に方向性を持たせて配置した場合でも、別の１周期分を先の１周期分と１８０度点対象の関係に配置し、各端部を接続させて環状を表現するといった方法でも可能である。
【実施例１】
【０００９】  図１は原則に最も忠実に反映したものである。ブリスターパック（１）を円形とし、円の中心から放射状に切り取り用ミシン線（４）などにより７つの扇形に分割する。一週間の各曜日を各扇形に割り当て、ブリスターの配置、曜日を示す用語（３）を点対称に表示する。
【実施例２】
【００１０】  図２は、ブリスターパック（１）の外形を正方形としつつ擬似的に環状に配置したものである。正確な７分割に代え、対角線を結んでできる４つの三角形の３つに２日分を、残る１つに１日分割り当て、これらの各三角形内におけるブリスター（２）の配置や曜日等の表示（３）は中心部から点対称にする。
【実施例３】
【００１１】  図３は、ブリスターパック（１）の外形を長方形とし、表示も各辺１周期分では順番性が表現されつつも、もう１周期分を１８０度点対象に配置し端部でそれぞれ反対側に連続させ、全体で環状となるよう構成したものである。
【図面の簡単な説明】
【００１２】
【図１】本考案、実施例１を示す正面図である。
【図２】本考案、実施例２を示す正面図である。
【図３】本考案、実施例３を示す正面図である。
【符号の説明】
【００１３】１  ブリスターパック
２  ブリスター
３  曜日など服用のタイミングを示す用語、略称、記号、絵文字などの表示
４  切り取り用ミシン線
５  範囲の境界を示す線
【図１】
0003117622.tif 000003
【図２】
0003117622.tif 000004
【図３】
0003117622.tif 000005
(57)【要約】【課題】本考案は花立本体の着脱を簡単にし且つ、自然の悪条件や環境問題の幾つかを克服する。【解決手段】本考案は墓石用着脱式花立に於いて、台座に複数曲面をもつ花弁を立ち上がる様に一体化形成し花立本体を台座の複数の花弁の内側に着脱自在に嵌め込む様になされていることを特徴とした墓石用花立。【選択図】図  １
0003117630.tif 000002
【実用新案登録請求の範囲】
【請求項１】
墓石用着脱式花立に於いて、台座に複数曲面をもつ花弁を立ちあがる様に一体化形成し、花立本体を台座の複数の花弁の内側に着脱自在に嵌め込む様になされていることを特徴とした墓石用花立。
【請求項２】
花弁内側の面に粘着テ−プを貼り付けてなることを特徴とする請求項１記載の墓石用花立
【考案の詳細な説明】
【技術分野】
【０００１】本考案は、墓石に取り付ける型式の花立に、立ち上げ花弁型弾性を活用したものである。
【背景技術】
【０００２】墓石用取り付け花立は、従来ネジ式が主流で破損や煩わしさがあり、不要の際の課題の解決も可能になった。
【考案の開示】
【考案が解決しようとする課題】
【０００３】墓所の中には一軒で何本もの石塔を建てている所もある。献花する時一基に一対の割り合という事で、お年寄りにはネジの着脱作業も大変で一苦労である。この煩わしさをワンタッチという形で解決したものである。
【課題を解決するための手段】
【０００４】本考案は立ち上げ花弁型弾力効果並びに粘着テ−プを利用して、花立本体の着脱を簡素滑らかな状態にすることを解決する。
【考案の効果】
【０００５】上述の様に、本考案の立ち上げ花弁型台座により、製品の美観はより豪華になり、且つ強風やカラスのいたずらにも対処できる。又花立本体を逆さに差し込み固定する事により、ボ−フラや悪臭にも対処できる。
【考案を実施するための最良の形態】
【０００６】ステンレス板をプレスにより型抜きした材料を、花立本体の側面や下部の形状に合わせ、蕾風に立ち上げ、従来の台座型式のうえに溶接一体化し、花弁の内側曲面にカッティングテ−プ（例えばＮａｋａｇａｗａ  Ｃｈｅｍｉｃａｌ  Ｉｎｃ社製）と称されるものが好ましい。
【実施例】
【０００７】以下、添付図面に従って実施例を説明する。１は花立本体で、下部は流線形を帯びたラッパ状の筒ではあるが胴本体は垂直に近い、２は１を強く支える為のほぼ同型の流線花弁を、自然弾力が有効に働く程度に立ち上げる。３は２と一体化し、墓石にセメントで固定する台座であり下に固定穴がある。【０００８】図２は前記花立本体１を不要時逆に被せた状態であり、これも花弁２の弾性を利用したものである。【０００９】４は２と３の一体化したもので複数花弁という事に表記したが、図面は五弁を想像して見た。【００１０】５は４で説明してある花弁の裏側に粘着テ−プを貼り、１と２の着脱をスム−ズに行い且つ傷付きを防ぐためのものである。
【図面の簡単な説明】
【００１１】
【図１】  本考案の花弁バネ式台座着脱花立の正面図、平面図、底面図である。
【図２】  花立不要時の収納正面図である。
【図３】  本考案の花弁立ち上げ台座の平面図、正面図である。
【図４】  花弁台座の内側にカッテングテ−プの張り位置を示したものである。
【符号の説明】
【００１２】  １    花立本体
２    花弁
３    従来型台座
４    一体化させた花弁台座
５    粘着テ−プ
【図１】
0003117630.tif 000003
【図２】
0003117630.tif 000004
【図３】
0003117630.tif 000005
【図４】
0003117630.tif 000006
(57)【要約】      （修正有）【課題】人体治療に使用する鍼灸用鍼体に係り、神経の敏感な部分に特に適した極細の鍼で、しかも折れにくい特徴を具備した鍼の提供にある。【解決手段】鍼灸治療に用いる鍼体であって、極細の長尺鍼体１を第一屈曲部３で折り返し、更に鍼Ｈ−１の略中間位置となる第二屈曲部４で折り返し、これを二往復させて中間点から屈曲させた鍼柄２となる部分をコイル状６に鍼後端部まで巻き付けてその鍼のループに挿通して鍼後端末部５とし、鍼体１は全体的に接合固定されること無く自由端として外力に基づく歪みを分散せしめ、折損を防止可能な構造としたことを特徴とする鍼灸用鍼体にある。【選択図】図１
0003117623.tif 000002
【実用新案登録請求の範囲】
【請求項１】
鍼灸治療に用いる鍼体において、極細の長尺鍼体１を第一屈曲部３で折り返し、更に鍼Ｈ−１の略中間位置となる第二屈曲部４で折り返し、これを二往復させて中間点から屈曲させた鍼柄２となる部分をコイル状６に鍼後端部まで巻き付けてその鍼のループに挿通して鍼後端末部５とし、鍼体１は全体的に接合固定されること無く自由端として外力に基づく歪みを分散せしめ、折損を防止可能な構造としたことを特徴とする鍼灸用鍼体。
【請求項２】
極細の長尺鍼体１は、直径０．０４ｍｍから０．０８ｍｍである事を特徴とする請求項１に記載の鍼灸用鍼体。
【考案の詳細な説明】
【技術分野】
【０００１】  本考案は、鍼灸治療に用いる鍼体の改良に係る考案である。
【背景技術】
【０００２】  従来、当該鍼灸鍼として知られているものは、鍼自体の太さとして０．３ｍｍから細いもので０．１４ｍｍがあり、材料として主流はステンレス鋼線で造られている。チタニウム、その他を合金成分として用いた金属を使用した例も聞くが、人体への悪影響を考慮すれば専らステンレス鋼線が使用されており、細いもので鍼の直径が国産品で０．１ｍｍのものが使用された例はあるが、その鍼体はカシメ部で折損してしまうため実質上は製品化されなかった。【０００３】  治療を要する人体のつぼ（経穴、経路）は、各所に存在し、ホルモンの調整やバランスを整えるつぼ、食欲の抑制や内蔵機能を活発化させたり新陳代謝を亢進させるためのつぼがある。部位として顔、手のひら、足の裏等は特に神経が敏感なところで、鍼として特に細身のものが望まれる。【０００４】  しかしながら、市場をみても本考案に係る極細の鍼体で製作されているものはなく、例えば実用新案登録第３０９２５００号の装飾体付鍼及び同第３１０４５５９号に鍼灸用ニードル装置等が記載されているが、それらは何れも鍼の太さに関して僅かに前者に０．３ｍｍと示されているに過ぎない。ましてや、鍼を細くすればするほど何れかの部分で折れ易くなり、これを解決するために考案された本件鍼灸鍼について教示する技術手段は何ら記載されていない。
【考案の開示】
【考案が解決しようとする課題】
【０００５】  本考案は、人体の至る所に存在する所謂、治療すべく全てのつぼは元より、とりわけ、特に神経の敏感な顔、手のひら、足のうらに鍼を通して治療するに際して、出来る限り細い鍼の使用が望まれるところ、その鍼体の折損や屈曲を防げる鍼の構造とすることを課題として研究を重ねた結果、本考案のとおり完成されたものである。
【課題を解決するための手段】
【０００６】  本考案は、鍼灸治療に用いる鍼体に係り、極細の長尺鍼体１を第一屈曲部３で折り返し、更に鍼Ｈ−１の略中間位置となる第二屈曲部４で折り返し、これを二往復させて中間点から屈曲させた鍼柄２となる部分をコイル状６に鍼後端部まで巻き付けてその鍼のループに挿通して鍼後端末部５とし、鍼体１は全体的に接合固定されること無く自由端として外力に基づく歪みを分散せしめ、折損を防止可能な構造としたことを特徴とする鍼灸用鍼体であって、鍼体１の太さは０．０４ｍｍから０．０８ｍｍである。
【考案の効果】
【０００７】  本考案に係る鍼は、従来品にはない極細の鍼体１から製作されており、しかも、折損に対する抵抗性の高い鍼Ｈ−１で、治療すべき人体のつぼとして特に神経の敏感な顔や、手のひら、足のうらの治療に使用する鍼Ｈ−１として適している等痛みを最小限に抑えることが出来、かつ、折れにくい優れた機能を発揮できる鍼Ｈ−１である。
【考案を実施するための最良の形態】
【０００８】  即ち、鍼体１は直径が０．０４ｍｍから０．０８ｍｍと細く、しかも、鍼Ｈ−１の構造が、略中央で二往復するように３と４の部分で屈曲させて鍼体１を鍼柄２となるように、ぐるぐるコイル状６に巻いて形成し、部分的に歪みが懸からないように鍼柄２の部分が固定されず自由端となっている。【０００９】  鍼Ｈ−１全体の長さは、２０ｍｍから５０ｍｍで、鍼体１の長さは５ｍｍから２０ｍｍの４種類あり、鍼柄２の長さは１５ｍｍから２５ｍｍ、殆ど２０ｍｍで、コイル状６に巻いた太さは１．０ｍｍ前後に製作されている。【００１０】  鍼Ｈ−１の第一屈曲部３は前記のとおり２５ｍｍから５０ｍｍの位置で行い、第二屈曲部４は略中間点の、鍼先から５ｍｍから２０ｍｍの位置となる。鍼Ｈ−１の材質としては、人体に悪影響をもたらさない金属が採択されるが、主流は低炭素の含有量の少ないオーステナイト系のステンレス鋼に属するが、Ｃｒが１８．０％から２０．０％、Ｎｉ１０．０％から１０．５％で、Ｍｎ２．０％以下、Ｍｏ、Ｃｕ、Ｓｉなどは０．７％以下に抑えたステンレス鋼で、品名ＳＵＳ３０４の極細線の硬質のものが使用される。
【実施例】
【００１１】  図１の図面との対比において、実施の形態を説明すると、極細線の長尺鍼体１直径０．０４ｍｍのステンレス鋼を鍼先から３５ｍｍの第一屈曲部３で折り返し、更に鍼Ｈ−１の略中間位置となる第一屈曲部から２０ｍｍの第二屈曲部４で折り返し、これを二往復させて中間点から屈曲させた鍼柄２となる部分をコイル状６に鍼後端部まで巻き付けてその鍼のループに挿通して鍼後端末部５として製作した。【００１２】  鍼体１は全体的に接合固定されること無く自由端として外力に基づく歪みを分散可能で、折損を防止できる構造とした。この鍼をもって、患者の治療を行ったが、例えば、従来の０．３ｍｍの鍼Ｈ−２と、本考案に係る０．０４ｍｍの鍼Ｈ−１で足のうらのつぼを治療したが、敏感な神経に対する刺激は明らかに本考案の鍼Ｈ−１が軽減できることに確信を得ることが出来た。
【産業上の利用可能性】
【００１３】  近代医術と平行して現代も依然として実施されている鍼灸治療法、なかんずく鍼治療における技術にあって、鍼の種類によっては人体へ与える苦痛度は相当の差が出るもので、鍼が細ければ細いほど神経に与える影響は少ない。しかしながら、鍼が細くなれば、当然の帰結として折損問題が生ずるが、本考案は、その折損問題に取りくみ、一本の鍼を屈曲させ、コイル状に鍼柄とした構造により、鍼の折損を最少限に抑える事が出来るという特別顕著な作用効果を奏したものであり、当業界においてその利用度は、今後、幅広く拡大実施されてゆくことは推測に難くない。
【図面の簡単な説明】
【００１４】
【図１】本考案に係る鍼Ｈ−１の正面図
【図２】従来品の鍼Ｈ−２の正面図
【符号の説明】
【００１５】  １鍼体
２鍼柄
３第一屈曲部
４第二屈曲部
５鍼後端末部
６コイル巻
７カシメ部
Ｈ−１本考案に係る鍼
Ｈ−２従来品の鍼
【図１】
0003117623.tif 000003
【図２】
0003117623.tif 000004
(57)【要約】      （修正有）【課題】ショッピングカーのカゴ本体に移動式仕切板と卵や果物等を乗せる小物収納棚を設け、食料品の種類や性質ごとに容易に分別収納が可能となり、同時に、運搬移動時における食料品の傷みや破損を防止する。【解決手段】カゴ本体１に仕切板３を設け、３を自由にスライド移動できるようクリップ式レール２を設置することで用途に応じた自由に空間を作り出し楽に収納が出来、且つ、棚板（底板）４、背板７、支柱９にて構成される小物収納棚にネットを設け、その上部に紐を通し開閉自由とすることで商品の落下防止となるばかりでなく、背板７の延長上にクリップを設けたことで適宜場所に設置が可能となり、運搬移動時おける食料品の傷みや破損の防止に役立つ。【選択図】図１
0003117626.tif 000002
【実用新案登録請求の範囲】
【請求項１】
ショッピングカー本体に仕切と小物収納棚を設けることにより買い物内容の種分けや各店舗の買い物袋を分けて入れることが可能となり、収納がスムーズになるとともに、食料品が傷んだり破損したりすることを防ぎ安全に運搬することを特徴とする食料品に優しい分別収納式買い物カート。
【考案の詳細な説明】
【技術分野】
【０００１】  本考案は、食料品を運搬する際に傷み易い食料品を安全に保てるよう、カゴ本体に仕切と小物収納棚を設けた、ショッピングカーに関するものである。
【背景技術】
【０００２】  購入した食料品を店の袋に詰めてショッピングカーに入れての運搬移動は、品物が傷まないように重いものが下になるように入れ替えを強いられるといった労働的な不自由さと果物や卵等のようなデリケートな品物はショッピングカーのカゴ内部で押されてつぶれたり傷ついたりすることがあった。
【考案の開示】
【考案が解決しようとする課題】
【０００３】  ワンボックスのカゴに入れた食料品の運搬移動は、複数の店舗で買い物をしたとき等、重いものを下にするように品物や袋詰めされた物の配置を入れ替えるといった作業は、労働的負担と時間の浪費といった煩わしさがあるばかりでなく、運搬移動中に傷つけたり破損させたりする不自由さがあった。従って、ショッピングカーの機能と空間の分別（仕切）する機能を一体化することで重さや硬さ等の性質によるグループごとの収納が可能となり傷や破損を防ぎ安全に食料品の運搬移動が可能となり、前述の欠点を解決しようとするものである。
【課題を解決するための手段】
【０００４】  本考案は、カート本体にスライド可能な仕切板をはめ込むことで現況に応じた空間を作り出すことが出来、また、当該カートの上段部分に小物収納棚を設けることで、傷みや破損を防ぐことが可能となり問題点を解決している。
【考案の効果】
【０００５】  上述のように、本考案の食料品分別カートはカート本体の両側面部に設けた凹凸部分のあるレールによって仕切板の移動を可能とし、食料品を傷ませないようにするために重いものを下にするための入れ替えをする手間が省ける。また、卵や魚類等の比較的弱い食料品は、破損や傷みの恐れから守るため小物収納棚を当該カートの上段に取り付けることで一層の安全性を確保しており、食料品を容易に袋ごと入れたり、種類や性質（根菜、重い、硬い等）ごとに分別収納したりすることが出来、食料品を傷つけずに運搬移動することに役立つ。
【考案の実施するための最良の形態】
【０００６】  カート内の仕切りを自在に移動させるために両側面に凹凸のあるレールを設け、仕切板をはめ込むことにより現状に対応した空間を作り出し、袋ごと若しくは重さ等による分別収納が可能となり、労働的負担がかからない。また、上段の小物収納棚を適宜場所に設置するが、全体をネットで覆うことにより中の内容物の大きさに対応出来、且つ、落下防止にも役立つ。
【実施例】
【０００７】  以下、添付図面に従って一実施例を説明する。１はスチール等適宜素材にて一体形成されたショッピングカーカゴ本体、２は耐久性のプラスチックス等適宜素材にて一体形成された内側に凹凸部分を持つクリップ式レールで、１本体若しくは内部に設置されるナイロン等素材にて形成された内袋を挟み固定する。３は耐久性のプラスチックス等適宜素材にて形成された仕切り板本体で、２の凹凸部分を利用してスライドすることで１の空間を区切り、現況に必要な収納スペースを生み出す事は勿論、不必要のときには、一方に寄せることで収納を妨げない。【０００８】  ４は耐久性プラスチックス等適宜素材で構成される棚板（底板）で、７は４同様の適宜素材にて４と蝶番５にて取り付けた動きの自由な背板で、両端は伸ばして、その先端には１本体に着脱自在となるクリップ８を設ける。９は４と同様の適宜素材等にて構成された支柱で、動きが自由になるよう７に留めて、それぞれ対応する穴４ａにその先端をフック状にして留める。これら４、７、９にて構成される小物収納棚全体をナイロン等適宜素材で構成されるネット６で覆い、且つ、上部に紐６ａを通すことにより食料品の破損や落下等の防止に役立つ。さらに、当該収納棚の構成上、設置箇所を一つにとどめないばかりか不必要なときには４ａに留めたフックを外せば、１枚の板状となり場所をとらない利点がある。【０００９】  本考案の一実施例は上記の如き構成からなるものであるから、カゴ本体１を縦横自在に仕切ることが可能であり、その用途に応じて、収納棚の設置場所も自在に変化させることが出来る。また、カゴ本体の内側全域にスポンジ等のクッション性の高いものを用いると、運搬移動時の衝撃予防になると思われる。
【図面の簡単な説明】
【００１０】
【図１】本考案の食料品分別収納式買い物カートの一実施例を示す正面図である。
【図２】仕切板本体とスライドさせるクリップ断面図
【図３】本カゴに着脱可能な小物収納棚の正面図
【符号の説明】
【００１１】  １    ショッピングカーカゴ本体
２    クリップ式レール
３    仕切板本体
４    棚板（底板）
４ａ  ９に対応する穴
５    蝶番
６    ネット
６ａ  ネット紐
７    背板
８    クリップ
９    支柱
【図１】
0003117626.tif 000003
【図２】
0003117626.tif 000004
【図３】
0003117626.tif 000005
(57)【要約】【課題】  合羽、ヤッケ等のズボンを雨や土等が入らないように長靴の上にかぶせて使用する場合、ズボンの裾上げが簡単にできる長靴を提供する。【解決手段】  長靴本体の上部側面には、山形線１，３が付いている。その上にかぶせてズボンをはき、その上からゴムひもの輪２で山形線１，３の間に挟みこむことにより、丈の長さも自由に簡単に裾上げが可能になる。【選択図】    図１
0003117643.tif 000002
【実用新案登録請求の範囲】
【請求項１】
合羽、ヤッケ等を裾上げ、保持する為に、上部側面に設けた２本の山形線と、２本の山形線の間に合羽、ヤッケ等を挟みこむゴムひもの輪を取り付けたことを特徴とする長靴。
【考案の詳細な説明】
【技術分野】
【０００１】  本考案は、長靴に関するものであり、形状に工夫を加えゴムひもの輪を使うことにより合羽、ヤッケ等ズボンを長靴の上にかぶせた時に裾上げが簡単に出来るようにしたものである。
【背景技術】
【０００２】  従来の長靴には、ズボンを長靴の上にかぶせた時の裾上げが出来る機能が付いていなかった。
【考案の開示】
【考案が解決しようとする課題】
【０００３】  その為、合羽、ヤッケは、長靴の上にかぶせると、足首部分までずり落ちてしまい、汚れたり、擦り切れやすくなってしまう。また、見た目もだらしなく見えてしまう。
【課題を解決するための手段】
【０００４】  そこで、ズボンを裾上げする為に、図１に示す２のゴムひもの輪と、それを保持する１，３、の山形線を備えた長靴を考案した。この１，３、の山形線と２、のゴムひもの輪の間に、ズボンを挟むことにより簡単に裾上げが出来るのである。
【考案の効果】
【０００５】  よって、本考案の合羽、ヤッケ等裾上げ機能付き長靴により、雨や土などが長靴の中に入らないように、長靴の上にズボンをかぶせて履きたいときは、すばやく、きれいに、簡単に裾上げができる。
【考案を実施するための最良の形態】
【０００６】  本考案の長靴は、図１に示すように、履き口の外に山形線１と山形線３があり、その間にゴムひもの輪２が取り付けてある。山形線は、ゴムひもの輪の太さにより、それを保持できる大きさでよい。またこの山形線１，３は、内と外に、指でゴムひもの輪２をつまめるくらいの山形線のないスペースがある。
【図面の簡単な説明】
【０００７】
【図１】  本考案の長靴の側面図である。
【図２】  本考案の長靴の断面図である。
【符号の説明】
【０００８】      １    山形線
２    ゴムひもの輪
３    山形線
【図１】
0003117643.tif 000003
【図２】
0003117643.tif 000004